(57)【要約】      （修正有）【課題】容器上に安定的に保持する簡易な構造で安価な飲料抽出バッグを提供する。【解決手段】飲料抽出バッグ１は、両側部の折り線４により前後に扁平に折り重ねた環状の板材の枠体２と、外側面が枠体２の内側面に貼着され、内部にコーヒー等の原料粉末を収容し、開口して内部に収容された原料粉末に湯を注ぐための濾紙袋３とを備える。枠体２には、下部から折り線に沿って下方へ延出させ折り線を中心線とする一対の脚部８と、枠体２の脚部８間から下方に突出し、脚部８との間に容器Ｃの縁を受け入れて枠体２の展開状態で容器Ｃの縁にそれぞれ係合する第１の係合部９とを具備させる。一対の脚部８の延出方向中間部には、切れ目１１により折り線４を線対称とする山形をなし、脚部８の内側に折り込む第２の係合部１０を設ける。【選択図】図２
0003223115.tif 000002
【実用新案登録請求の範囲】
【請求項１】
両側部の相対向する縦方向の一対の折り線により扁平に折り重ねることができる前後両板部がそれぞれ円弧状を成して離間することにより開口する環状の板材から成る枠体と、
前記枠体から前記折り線に沿って下方へ延出し、折り線を中心線とする一対の脚部と、
外側面が前記枠体の内側面に貼着され、内部にコーヒー等の原料粉末を収容した状態で封止され、枠体の展開に伴って開口して内部に収容された原料粉末に湯を注ぐことができる濾紙袋と、
前記枠体の下縁から下方に突出し、前記脚部との間に容器の縁を受け入れて枠体の展開状態で容器の縁にそれぞれ係合する第１の係合部とを具備し、
前記一対の脚部の延出方向中間部には、前記折り線から鋭角に下方へ向かう切り込みにより折り線を線対称とする山形をなし、脚部の内側に折り込むことにより脚部の下部を側方に立ち上げて、前記前後両板部の開口を保持すると共に、容器の縁部外側に掛け止める第２の係合部を具備することを特徴とする飲料抽出バッグ。
【請求項２】
前記切り込みの終端から鋭角に上方へ向かって形成され、谷折りされることにより前記第２の係合部の押し込みに伴う脚部の立ち上げをガイドする折り目を具備することを特徴とする請求項１に記載の飲料抽出バッグ。
【請求項３】
前記濾紙袋は、外側面上部が前記枠体の内側面上部に貼着され、
前記枠体は、これを載置する容器内の飲料に前記濾紙袋を浸らせない高さであることを特徴とする請求項１または２に記載の飲料抽出バッグ。
【考案の詳細な説明】
【技術分野】
【０００１】
本考案はカップなどの容器の縁に係合させて、内部に収容された原料粉末に湯を注ぐことによりコーヒー等の嗜好飲料を容器に抽出するドリップ式の抽出バッグに関するものである。
【背景技術】
【０００２】
従来、抽出材料を収容するバッグ部材と、前面部及び背面部に折り重なる環状の板材からなり、内側にバッグ部材を接合する支持部材とを具備する飲料抽出バッグがある（特許文献１）。支持部材には、上縁から下方に向って側方へ斜めにそれぞれ形成された切り欠き部と、この切り欠き部の側方において上縁と切り欠き部の下端との間にそれぞれ形成された折り線とを具備する。この飲料抽出バッグは、支持部材の両側の頂部に手指を当て、その折り線に沿って支持部材の前面部と背面部の間に押し込むことにより、支持体の中央部と共にバッグ部材が離間して、支持体がほぼ楕円形に開口し、内側に押し込まれた頂部が支持部材の開口状態を保持する。
また、抽出材料を収容する袋体を内側に保持する前面板と背面主板を両側部の折罫により折り重ねた筒状紙体を備えたドリッパーがある（特許文献２）。前面板と背面主板は、折罫の略中央部に折罫から斜め下方に向かってそれぞれ穿設された略半円状の切抜部と、切抜部の下部の折罫から切抜部の下端縁側に延びる谷折りの折罫により前面板と背面主板の相互間に押し込み可能な折込部とを具備する。折込部を前面板と背面主板の相互間に押し込むと、前面板と背面主板とを離間させて筒状紙体の開口状態を保持する。
【先行技術文献】
【特許文献】
【０００３】
【特許文献１】特開2009-096507号公報
【特許文献２】特開2012-091002号公報
【考案の開示】
【考案が解決しようとする課題】
【０００４】
本考案は、抽出バッグの開口状態を保持するための構造に容器の縁部に係合する機能を兼備して容器上に安定的に保持する簡易な構造で安価な飲料抽出バッグを提供するものである。
【課題を解決するための手段】
【０００５】
本考案の飲料抽出バッグは、両側部の相対向する縦方向の一対の折り線４により前後両板部５，６を扁平に折り重ねた環状の板材から成る枠体２と、外側面が枠体２の内側面に貼着され、内部にコーヒー等の原料粉末を収容した状態で封止され、前後両板部５，６がそれぞれ円弧状を成して離間する枠体２の展開に伴って開口して内部に収容された原料粉末に湯を注ぐことができる濾紙袋３とを備えている。枠体２は、下部から折り線に沿って下方へ延出し、折り線を中心線とする一対の脚部８と、脚部８，８間に枠体２の下縁から下方に突出し、脚部８との間に容器Ｃの縁を受け入れて枠体２の展開状態で容器Ｃの縁にそれぞれ係合する第１の係合部９とを具備する。一対の脚部８の延出方向中間部には、折り線４から鋭角に下方へ向かう切れ目１１により折り線４を線対称とする山形をなし、脚部８の内側に折り込むことにより脚部８の下部を側方に折り返して立ち上げ、前後両板部５，６の折り戻りを阻止すると共に、容器Ｃの縁部外側に掛け止める第２の係合部１０を備える。
【考案の効果】
【０００６】
本考案の飲料抽出バッグは、簡易名構造で、枠体が折り戻りすることなくバッグ部材の開口状態を確実に保持すると共に、第２の係合部を容器の縁部外側に係合させた上で第１の係合部との間に容器の縁を受け入れることにより、容器上に安定的に保持することができる。
【図面の簡単な説明】
【０００７】
【図１】本考案に係る飲料抽出バッグの正面図である。
【図２】図１の飲料抽出バッグの使用状態の斜視図である。
【図３】図１の飲料抽出バッグの開口状態の正面図である。
【図４】図１の飲料抽出バッグの開口状態の底面図である。
【考案を実施するための最良の形態】
【０００８】
本考案の実施の一形態について図面を参照して説明する。
図１，２において、本考案に係る飲料抽出バッグ１は、両側の一対の折り線４により前後に折り重ねた環状の枠体２と、この枠体２の内側に保持した濾紙袋３とを具備する。
【０００９】
枠体２は、耐水性の厚紙等の板材を上窄まりの環状に接合して成り、相対向する縦方向の一対の折り線４と、これを折り込むことによって形成される略台形状の重なり合う前後板部５，６とを具備する。前後板部５，６は、上縁部左右に一部重なり合う左右互い違いの台形状に上方へ張り出す摘み部７と、折り線４に沿って下方へ延出する一対の脚部８と、下縁部中央に下方へそれぞれ延出して容器の開口縁に係合する一対の第１の係合部９とを具備する。
【００１０】
前後板部５，６は、第１の折り線４を押し潰して、図２に示すように、扁平に折り畳むことができると共に、折り線４を開きそれぞれ円弧状を成して離間することにより環状に展開することができる。
【００１１】
脚部８は、重ね合わせた前後板部５，６の折り線４を中心にこれに沿って下方へ延出するように設けられる。脚部８の中間部には、折り線４から斜め下方へ向かう切り込みを構成する切れ目１１により形成される第２の係合部１０と、切れ目１１の終端から斜め上方へ向かう折り目であるミシン目１２とを具備する。第２の係合部１０は、図２，図３に示すように、折り線４の谷側に押し込むことによりミシン目１２に沿って谷折りされ、脚部８の下部を立ち上げて、第２の係合部１０の復帰を阻止して枠体２の展開を保持すると共に、枠体２を容器Ｃの縁部に掛け止める。
【００１２】
第１の係合部９は、折り線４の谷側に折り込まれて容器Ｃの周縁部の外側に係合する第２の係合部１０との間に容器Ｃの上縁部を受け入れて、脚部８と協働として容器Ｃに係合して脱落を防止する。
【００１３】
濾紙袋３は、枠体２の内側に配置され、下端から僅かに下に露出して、外側面上部が枠体２の内側面上部に貼着される。濾紙袋３は、枠体２の展開により上縁を開口して内部に収容されたコーヒー等の原料粉末Ｇに湯を注ぐことができるようになっており、抽出液に浸らないように枠体２との相対位置関係が保持されている。濾紙袋４は適宜のマチを備え、望ましくは、内部に原料粉末Ｇを収容して封止した状態で枠体２の内側に保持され、上縁部を前後板部５，６のそれと共に容易に剥離することができるように、上縁に沿った接着部を備え、原料粉末Ｇの風味を損なわないように、飲料抽出バッグ１全体を図示しない包装袋内に納めて真空封止し、あるいは適宜のガスを入れて封止される。なお、封止された濾紙袋４の上縁部を開口しやすくするための構造は、その他の周知の手段でも良い。
【００１４】
この実施形態の飲料抽出バッグ１を用いてコーヒー等の飲料を抽出する場合には、包装紙を開いて飲料抽出バッグ１を取り出し、摘み部7を指で摘まんで枠板２の前後板部５，６と共に濾過袋３の接合された上縁部を相互に引き剥がす。次いで、扁平に折り畳まれている両側の脚部８の第２の係合部１０を脚部８の内側に押し込み、ミシン目１２を谷折りしつつ脚部８の下部を側方へ立ち上げれば、後板部５，６が円弧状の凹み側を対向させて離間し、同時に濾紙袋４が開口して枠体２が略楕円状に展開する。脚部８が立ち上がると、折り線４の折り戻りが阻止されて枠体２の展開を安定的に保持する。次いで、第２の係合部１０を容器Ｃの上縁部外側に掛けると共に、容器Ｃの縁部の内側に係合部９を挿入すれば、枠体２が容器Ｃに係合して脱落を防止する。従って、飲料抽出バッグ１は、濾紙袋４が開口した状態で、容器Ｃ上に確実に保持されるから注湯時に転倒する危険がない。濾紙袋３は、容器に溜まった抽出液に浸らず、原料粉末の残渣を容器Cに移し難い。
【符号の説明】
【００１５】
１    飲料抽出バッグ
２    枠体
３    濾紙袋
４    折り線
５    前板部
６    後板部
８    脚部
９    第１の係合部
１０    第２の係合部
１１    切り込み
１２    ミシン目
Ｃ    容器
【図１】
0003223115.tif 000003
【図２】
0003223115.tif 000004
【図３】
0003223115.tif 000005
【図４】
0003223115.tif 000006